(57)【要約】【課題】  接続機構が可動なブラケット装置を提供する。【解決手段】  ブラケット装置はブラケット及び接続部材を含む。ブラケットは端部を有する長手壁を含む。接続部材は長手壁に対して第１の位置及び第２の位置のうちのいずれかに到達することができ、固定部材と接続するための接続部を含む。接続部材は第１の位置にある場合ブラケットの長手壁の端部から離れており、第２の位置にある場合ブラケットの長手壁の端部の近くにある。【選択図】  図３
2020093072.tif 000002
【特許請求の範囲】
【請求項１】
長手壁を含むブラケットと、
前記長手壁の端部に隣接する取り付け部材と、
前記長手壁に可動に取り付けられるとともに、第１の位置及び第２の位置のうちのいずれかに到達するように構成された接続部材と、
を含むブラケット装置であって、
前記接続部材は前記第１の位置にある場合前記ブラケットの長手壁の端部から離れており、
前記接続部材は前記第２の位置にある場合前記ブラケットの長手壁の端部の近くにある、ブラケット装置。
【請求項２】
前記ブラケットは前記長手壁に対して屈曲された端壁をさらに含み、前記取り付け部材は該端壁に配置されている、請求項１に記載のブラケット装置。
【請求項３】
前記取り付け部材はポストに取り付けられるように適合されている、請求項２に記載のブラケット装置。
【請求項４】
前記接続部材は接続部を含み、該接続部は、固定部材の一部が前記ポストの第１の側から前記ポストの第２の側に前記ポストを貫通した場合に該固定部材の該一部とネジ接続して、前記接続部材が前記第２の位置で維持され且つ前記ポストの第２の側に押し付けられるように構成されている、請求項３に記載のブラケット装置。
【請求項５】
前記固定部材は前記接続部にネジ接続される間、前記接続部材は前記第１の位置から前記第２の位置に長手方向に変位可能である、請求項４に記載のブラケット装置。
【請求項６】
前記接続部材に弾性力を適用するための弾性部材をさらに含む、請求項１に記載のブラケット装置。
【請求項７】
前記接続部材及び前記ブラケットは第１の位置制限部及び第２の位置制限部をそれぞれ有し、該第１の位置制限部及び該第２の位置制限部は互いに協働するように構成されている、請求項１に記載のブラケット装置。
【請求項８】
前記ブラケットの長手壁に枢結されるブロック部材をさらに含み、該ブロック部材がブロック位置にある場合、該ブロック部材のブロック部は前記取り付け部材に隣接する、請求項１に記載のブラケット装置。
【請求項９】
前記接続部はネジ山であり、前記固定部材は該ネジ山を通じて前記接続部材に接続可能なネジである、請求項４に記載のブラケット装置。
【請求項１０】
スライドレールをポストに取り付けるよう適合されたブラケット装置であって、当該ブラケット装置は、
長手壁及び端壁を含むブラケットであって、該長手壁は前記スライドレールに接続されるように適合され、該端壁は該長手壁に実質的に垂直に接続されている、ブラケットと、
前記端壁に配置される取り付け部材と、
前記長手壁に対して第１の位置及び第２の位置のいずれかに到達するように構成されるとともに、接続部を含む接続部材と、
を含み、
前記取り付け部材は前記ポストの第１の取り付け孔に取り付けられるように構成され、
前記接続部材は前記第１の位置にある場合前記ポストから離れており、
前記接続部材は前記第２の位置にある場合前記ポストの近くにあり、
前記接続部材の接続部は、ネジの一部が前記ポストの第２の取り付け孔を貫通した場合に該ネジの該一部とネジ接続するように構成されている、ブラケット装置。
【発明の詳細な説明】
【技術分野】
【０００１】
本発明はブラケット構造に関し、より具体的にはスライドレールと共に用いるブラケット装置に関する。
【背景技術】
【０００２】
ブラケットは、スライドレールをラックのポストに取り付けるためにラック（キャビネット）システムにおいて一般的に用いられるものであり、ブラケット自体はピン、ネジ等を通じてポストに取り付けられる。例えば、特許文献１にはブラケット位置決め構造が開示されている。特許文献１の図５及び図６によれば、ブラケット（１）は、ブラケットの接続部（３）と協働するピン（２）又はボルト（３１）を通じてポスト（７）の取り付け孔（７１）に取り付けられる。
【先行技術文献】
【特許文献】
【０００３】
【特許文献１】米国特許第７３５７３６２号明細書
【特許文献２】米国特許第８７２７１３８号明細書
【発明の概要】
【発明が解決しようとする課題】
【０００４】
上記から、先行技術ではブラケットの接続部（３）は不動である（stationary）ことが分かる。市場の要求は様々であるため、異なるブラケット製品の開発は意価値がある。
【０００５】
本発明は、接続機構が不動でないブラケット装置に関する。
【課題を解決するための手段】
【０００６】
本発明の一態様によれば、ブラケット装置はブラケット及び接続部材を含む。ブラケットは端部を有する長手壁を含む。接続部材は第１の位置及び第２の位置のうちのいずれかに到達することができる。接続部材は第１の位置にある場合ブラケットの長手壁の端部から離れており、第２の位置にある場合ブラケットの長手壁の端部の近くにある。
【０００７】
ブラケットは長手壁に対して屈曲された端壁を含み、ブラケット装置は端壁に配置されru
取り付け部材をさらに含むことが好ましい。
【０００８】
接続部材は長手壁に可動に取り付けられ、ブラケットに対して長手方向に変位可能であることが好ましい。
【０００９】
ブラケット装置は、接続部材に弾性力を適用して接続部材を第１の位置で維持するための弾性部材をさらに含むことが好ましい。
【００１０】
接続部材及びブラケットは第１の位置制限部及び第２の位置制限部をそれぞれ有し、２つの位置制限部は互いに協働するように構成されていることが好ましい。
【００１１】
取り付け部材はポストに取り付けられるように構成されていることが好ましい。
【００１２】
接続部材は接続部を含み、固定部材はその一部がポストの第１の側からポストの第２の側に延びて接続部にネジ接続されて接続部材が第２の位置で維持され且つポストの第２の側に押し付けられることが好ましい。
【００１３】
固定部材は接続部にネジ接続される間、接続部材は第１の位置から第２の位置に長手方向に変位可能であることが好ましい。
ブラケット装置はスライドレールをポストに取り付けるよう適合されていることが好ましい。取り付け部材はポストの第１の取り付け孔に取り付けられるように構成されている。接続部材は第１の位置にある場合ポストから離れており、第２の位置にある場合ポストの近くにある。接続部材の接続部は、固定部材の一部がポストの第２の取り付け孔を貫通した場合に該固定部材の該一部とネジ接続するように構成されている。
【００１４】
ブラケット装置はブラケットの長手壁に枢結されるブロック部材をさらに含むことが好ましい。取り付け部材がポストの第１の取り付け孔に取り付けられ、ブロック部材がブロック位置に枢動されると、ブロック部材はポストにロックされる。
【００１５】
ブロック部材がブロック位置にある場合、ブロック部材のブロック部は取り付け部材に隣接することが好ましい。
【００１６】
接続部はネジ山（screw  thread）であり、固定部材は該ネジ山を通じて接続部材に接続可能なネジであることが好ましい。
【図面の簡単な説明】
【００１７】
【図１】図１は、ラックにスライドレールアセンブリを取り付けるのに本発明の一実施形態に係るブラケット装置を用いることができるのを示す斜視図である。
【図２】図２は、本発明の一実施形態に係るスライドレールアセンブリの斜視図である。
【図３】図３は、本発明の一実施形態に係るブラケット装置及びスライドレールアセンブリのスライドレールの分解斜視図である。
【図４】図４は、第１の種類のラックにスライドレールを取り付けるのに本発明の一実施形態に係るブラケット装置を用いることができること及び固定部材はブラケット装置の接続部材にまだ接続されていないことを示す。
【図５】図５は、第１の種類のラックにスライドレールを取り付けるのに本発明の一実施形態に係るブラケット装置を用いることができること示し、固定部材はブラケット装置の接続部材に部分的に接続されている。
【図６】図６は、第１の種類のラックにスライドレールを取り付けるのに本発明の一実施形態に係るブラケット装置を用いることができること示し、固定部材はブラケット装置の接続部材に完全に接続されている。
【図７】図７は、第２の種類のラックにスライドレールを取り付けるのに本発明の一実施形態に係るブラケット装置を用いることができること及び固定部材はブラケット装置の接続部材に完全に接続されていることを示す。
【発明を実施するための形態】
【００１８】
図１及び図２を参照して、本発明の一実施形態によれば、スライドレールアセンブリ２０はブラケット装置２２及び別のブラケット装置２４を通じてラック２５に取り付けることができる。本発明のこの実施形態の特徴を明示するために、ブラケット装置２２を以下で詳述する。
【００１９】
図３及び図４に示すように、ブラケット装置２２はブラケット２６及び接続部材２８を含み、取り付け部材３０も含むことが好ましい。ここでは、一例として２つの取り付け部材３０を示しているが、本発明は取り付け部材３０の数の点で限定されない。
【００２０】
ブラケット２６は、スライドレールアセンブリ２０のスライドレール２０ａに接続される（例えば固定接続される）長手壁３２を含む。長手壁３２は端部３２ａを含む。ブラケット２６は、長手壁３２の端部３２ａに対して屈曲された端壁３４をさらに含むことが好ましい。端壁３４は長手壁３２に実質的に垂直に接続される。
【００２１】
取り付け部材３０は長手壁３２の端部３２ａに隣接し、一例として端壁３４に配置されている状態を示す。ベース３８は端壁３４の一方側（例えば前側）に配置され、取り付け部材３０はベース3８に接続され、ベース３８から端壁３４の反対側（例えば後ろ側）に延在する部分を有することが好ましい。端壁３４は、端壁３４の前述した２つの側と連通する貫通孔３６を有し、取り付け部材３０はベース３８から、貫通孔３６を通じて端壁３４の一方側から端壁３４の反対側に延在することが好ましい。
【００２２】
接続部材２８はブラケット２６の長手壁３２に対して動かすことができる。ここでは、接続部材２８は一例として長手壁３２に可動に取り付けられている。接続部材２８は接続部３９を含む。接続部材２８はネジ山ベースであり、接続部３９はネジであることが好ましい。
【００２３】
ブラケット装置２２は接続部材２８に弾性力を適用するための弾性要素４０をさらに含むことが好ましい。弾性要素４０は接続部材２８の第１の接続部４１ａ及び長手壁３２の第２の接続部４１ｂにそれぞれ接続される２つの端部を有することが好ましい。第１の接続部４１ａ及び第２の接続部４１ｂは突出したフックであり得るが、実際にはそのような構成である必要はない。接続部材２８及び長手壁３２は互いに協働するように構成された第１の位置制限部４２及び第２の位置制限部４４をそれぞれ含むことが好ましい。ここでは、第１及び第２の位置制限部の一方は長手孔（又は長手溝）であり、他方は突起である。例えば、接続部材２８は長手孔を有し、突起は長手孔の一部を通って長手壁３２に接続され、長手孔の２つの端壁の間に位置する。
【００２４】
ブラケット装置２２はブラケット２６の長手壁３２に枢結されるブロック部材４６と、ブロック部材４６に弾性力を適用してブロック部材４６をブロック位置で維持するための弾性アーム４７とをさらに含むことが好ましい。例えば、ブロック部材４６はシャフト４８を通じて長手壁３２のラグ５０に枢結される。
【００２５】
図４を参照して、スライドレール２０ａはブラケット装置２２を通じてラックの第１のポスト５２に取り付けられている。より具体的には、第１のポスト５２は垂直に配置された複数の取り付け孔を含む。下記の説明では一例として第１の取り付け孔５２ａ及び第２の取り付け孔５２ｂに言及する。
【００２６】
ブラケット装置２２の取り付け部材３０は第１のポスト５２の第１の取り付け孔５２ａに取り付けられるように構成されている。例えば、ブラケット装置２２の取り付け部材３０はブラケット２６の端壁３４が第１のポスト５２に押し付けられた状態で第１の取り付け孔５２ａを貫通する。ベース３８は端壁３４の貫通孔３６及び第１のポスト５２の第２の取り付け孔５２ｂと位置が対応する貫通ボア５４を有することが好ましい。貫通ボア５４の壁はネジ山等の対応する接続部５４ａを有することが好ましい。固定部材５６（例えばネジ）は、その一部が第１のポスト５２の第２の取り付け孔５４ｂを通って接続部材２８の接続部３９にネジ接続されている。固定部材５６は頭部５６ａ及び本体部５６ｂを有することが好ましい。頭部５６ａは本体部５６ｂよりもサイズが大きく、本体部５６ｂはネジ付ロッドである。図４はブラケット２６の長手壁３２に対して第１の位置Ｐ１にある接続部材２８を示し、接続部材２８は弾性部材４０によって接続部材２８に加えられる弾性力により第１の位置Ｐ１で維持されることが好ましい。接続部材２８は第1の位置Ｐ１にある場合ブラケット２６の長手壁３２の端部３２ａ又は第１のポスト５２から離れている。
【００２７】
図４、図５及び図６に示すように、固定部材５６の頭部５６ａはベース３８の貫通ボア５４、端壁３４の貫通孔３６又は第１のポスト５２の第２の取り付け孔５２ｂよりもサイズが大きい。ここでは、固定部材５６の頭部５６ａは一例としてベース３８の貫通ボア５４よりもサイズが大きい（図４参照）。固定部材５６の本体部５６ｂはベース３８の貫通ボア５４、端壁３４の貫通孔３６及び第１のポスト５２の第２の取り付け孔５２ｂを通って接続部材２８の接続部３９にネジ接続できる。固定部材５６は接続部３９にネジ接続される間、接続部材２８はブラケット２６に対して第１の位置Ｐ１から方向Ｄに長手方向に変位でき、この長手方向の変位は接続部材２８が第２の位置Ｐ２に到達するまで続く。
【００２８】
図６に示すように、第２の位置Ｐ２にある接続部材２８はブラケット２６の長手壁３２の端部３２ａ又は第１のポスト５２の近くにある。そのため、上記からは、第２の取り付け孔５２ｂを通じて第１のポスト５２の第１の側Ｓ１（例えば限定されないが前側）から第１のポスト５２の第２の側Ｓ２（例えば限定されないが後ろ側）に固定部材５６の本体部５６ｂの一部を通し、この部分を接続部材２８の接続部３９にネジ接続することにより接続部材２８を第２の位置Ｐ２で保持して、第１のポスト５２の第２の側に押し付けられた状態で維持できることが分かる。取り付け部材３０が第１のポスト５２の第１の取り付け孔５２ａに取り付けられ、弾性アーム４７の弾性力によりブロック部材４６がブロック位置にある場合、ブロック部材４６のブロック部４６ａは取り付け部材３０に隣接して、ブラケット２６が第１のポスト５２に確実に取り付けられるように第１のポスト５２にロックされる。なお、弾性部材４０は接続部材２８が第２の位置Ｐ２にある場合に所定量の弾性力を蓄積する。したがって、固定部材５６がその後に取り外された場合（例えば組み立てのニーズを満たすために）、接続部材２８は弾性部材４０から放たれる弾性力により第１の位置Ｐ１に戻される。
【００２９】
上記によれば、接続部材２８はブラケット２６の長手壁３２に対して動かすことができ、これはブラケット装置２２が厚さの異なるポストに適合できるようにする。図６において、ブラケット装置２２は例えば第１の厚さＴ１を有する第１のポスト５２に適合されている。取り付け部材３０が第１のポスト５２に取り付けられている場合、ブラケット２６の端壁３４は第１のポスト５２の第１の側Ｓ１にあり、接続部材２８は第１のポスト５２の第２の側Ｓ２に押し付けられてブラケット装置２２を第１のポスト５２にしっかりと取り付けることができる。
【００３０】
ブラケット２６の長手壁３２に対して接続部材２８を動かすことができるおかげで、ブラケット装置２２は図７に示すように第２の厚さＴ２を有する第２のポスト５８にも適合できる。一例として、第２の厚さＴ２は第１の厚さＴ１よりも大きい。取り付け部材３０が第２のポスト５８に取り付けられている場合、ブラケット２６の端壁３４は第２のポスト５８の第１の側Ｓ１にあり、接続部材２８は第２のポスト５８の第２の側Ｓ２に押し付けられてブラケット装置２２を第２のポスト５８にしっかり固定することができる。
【００３１】
要約すると、本願で開示のブラケット装置は下記の特徴を有する。
【００３２】
１）ブラケット装置の接続部材２８はブラケット２６に対して可動である。この構成はブラケット装置２２を異なる厚さのポストに適合できるようにする。
【００３３】
２）取り付け部材３０を通じてブラケット装置２２がポスト５２又は５８に取り付けられている場合、ブラケット２６の端壁３４はポスト５２又は５８の第１の側Ｓ１にある。接続部材２８はポスト５２又は５８の第２の側Ｓ２に押し付けられてブラケット装置２２がポストにしっかり取り付けられる。
【００３４】
好ましい実施形態を通じて本発明を上記で説明してきたが、これらの実施形態は本発明の範囲を限定することを意図したものではないことを理解すべきである。出願人が求める特許保護の範囲は添付の特許請求の範囲で定義されている。
【符号の説明】
【００３５】
２０  スライドレールアセンブリ
２２  ブラケット装置
２４  別のブラケット装置
２６  ブラケット
２８  接続部材
３０  取り付け部材
３２  長手壁
３４  端壁
３６  貫通孔
３８  ベース
４０  弾性要素
４２  第１の位置制限部
４４  第２の位置制限部
４６  ブロック部材
４８  シャフト
５０  ラグ
５２  第１のポスト
５４  貫通ボア
５６  固定部材
５８  第２のポスト
【図１】
2020093072.tif 000003
【図２】
2020093072.tif 000004
【図３】
2020093072.tif 000005
【図４】
2020093072.tif 000006
【図５】
2020093072.tif 000007
【図６】
2020093072.tif 000008
【図７】
2020093072.tif 000009